(57)【要約】【課題】  レールの作成に工数がかからず、柱材をレールに容易に嵌入でき、棚板とパイプとの間の無駄なスペースや柱材をレールの最端部に設置することができない場合に生じる左右一対の柱材間の外側のデッドスペースが生じず、レールのビス止め穴と壁面裏の下地材が合致し易い安定性のある壁面収納治具を提供すること。【解決手段】  壁面に収納棚を作成するための治具であって、壁面に対してほぼ直角に突出する部分を含む断面形状を有するレールと、レール上に延設される一対のＣ型チャンネル材からなる柱材と、壁面に対して直角に前方へ向かって延設する一対の棚板支持体と、棚板支持体の上部に載設される棚板とからなる壁面収納治具であり、棚板支持体に架設されるパイプからなる衣服掛け吊下げ用部材と、棚板の上面と同一平面を形成する追加棚板と、パイプと同一直線を形成する追加パイプを付設することもできる。【選択図】図１
2007105273.tif 000002
【特許請求の範囲】
【請求項１】
壁面に収納棚を作成するための治具であって、
前記壁面に沿って固定され該壁面に対してほぼ直角に突出する部分を含む断面形状を有するレールと、
該レールに対して直角下向きに該レール上の左右に所定間隔で該レール上に延設される一対のＣ型チャンネル材からなる柱材と、
前記一対の柱材に着脱自在に係止可能で壁面に対して直角に前方へ向かって延設する一対の棚板支持体と、
前記棚板支持体の上部に載設される棚板からなり、
前記柱材の左右面を形成する側板には前記レールが着脱自在に嵌入される切込部が長手方向上方に設けられているとともに前面を形成する前板には複数の穴が長手方向に沿って所定間隔で設けられ、
前記棚板支持体の端部には突出する係止部を有し該係止部が前記柱材前板の穴に係止されることを特徴とする壁面収納治具。
【請求項２】
前記レールが、断面略ロ字状の部材であり、
該レールの上下面を形成する側板が前記柱材の切込部の上下部に当接するように嵌入され、
該レールの後面を形成する後板が前記柱材の切込部の奥部に当接するように嵌入されることを特徴とする請求項１に記載の壁面収納治具。
【請求項３】
前記レールが、Ｃ型チャンネル材であり、該レールの上下面を形成する側板が前記柱材の切込部の上下部にそれぞれ当接するように嵌入されることを特徴とする請求項１に記載の壁面収納治具。
【請求項４】
前記レールが、Ｃ型チャンネル材であり、該レールの上下面を形成する側板が前記柱材の切込部の上下部に当接するように嵌入され、
該レールの前面を形成する前板が前記柱材の切込部の奥部に当接するように嵌入されることを特徴とする請求項１に記載の壁面収納治具。
【請求項５】
前記レールが、Ｃ型チャンネル材の上面を形成する側板と直角になるようにかつ該Ｃ型チャンネル材の後面を形成する後板と逆方向に折曲された前板を有する部材であり、
該レールの側板が前記柱材の切込部の上下部に当接するように嵌入され、
該レールの後板が前記柱材の切込部の奥部にそれぞれ当接するように嵌入されることを特徴とする請求項１に記載の壁面収納治具。
【請求項６】
前記レールが、Ｌ型材であり、該レールの側板と前板が前記柱材の切込部にそれぞれ当接するように嵌入されることを特徴とする請求項１に記載の壁面収納治具。
【請求項７】
前記レールが、折り返し付Ｌ型材であり、該レールの側板、前板、および後板が、前記柱材の切込部にそれぞれ当接するように嵌入されることを特徴とする請求項１に記載の壁面収納治具。
【請求項８】
前記一対の棚板支持体にそれぞれ取り付けられる左右一対のパイプ支持体と、前記棚板の下方において該左右一対のパイプ支持体間に架設されるパイプとからなる衣服掛け吊下げ用部材を有することを特徴とする請求項１乃至７いずれかに記載の壁面収納治具。
【請求項９】
前記棚板支持体の左右面を形成する側面に前記パイプ端部を支持するための穴が長手方向に所定間隔で設けられていることを特徴とする請求項１乃至７いずれかに記載の壁面収納治具。
【請求項１０】
前記棚板支持体の側面に前記パイプ支持体を付設するための穴が長手方向に所定間隔で設けられていることを特徴とする請求項１乃至７いずれかに記載の壁面収納治具。
【請求項１１】
前記一対の柱材間の外側でかつ前記棚板の左右の端面に固定され、該棚板の上面と同一平面を形成する追加棚板を有することを特徴とする請求項１乃至７いずれかに記載の壁面収納治具。
【請求項１２】
前記一対の柱材間の外側でかつ前記棚板支持体側面の前記パイプ端部を支持するための穴に固定され、該パイプと同一直線を形成する追加パイプを有することを特徴とする請求項１乃至７いずれかに記載の壁面収納治具。
【請求項１３】
前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具。
【発明の詳細な説明】
【技術分野】
【０００１】
本発明は、壁面収納治具に関し、より詳しくは、壁面に収納棚を作成するための治具であって、壁面に付設した１本の横軸となるレールに、前記レールを嵌入する切込部を有する２本以上の柱材を取り付けることによって、脚部を必要とせずに安定感があり、高さや段数を適宜に容易に変更可能で、取り付け容易な棚を有し、さらに棚板の支持体を利用することにより収納棚のスペースを有効活用した衣類かけを具備する壁面収納治具に関する。
【背景技術】
【０００２】
従来、壁面に設けられる収納棚は、棚板を水平に取り付けることが難しく、大工経験のない素人には作成が容易ではなかったが、近年、素人にも容易に壁面に収納棚を作成することができる壁面収納治具の発明が考え出されている（例えば、特許文献１参照）。
この特許文献１の開示発明は、壁面に沿って固定される垂直部と該垂直部に対して所定角度で傾斜する傾斜部とからなる断面略レ字状のレールと、２つの側板とこれら側板を繋ぐ前板とからなる断面略コ字状の部材であって、前記側板には長手方向上方に前記傾斜部に対して着脱自在に嵌入される傾斜切込部と該傾斜切込部の上方部に前記垂直部の厚さの分だけ切り欠かれた切欠部が設けられ、前記前板には壁面に対するビス止め用の穴と長手方向に沿って所定間隔で２列に並設されてなる穴を有する柱材と、一端に前記２列に並設される内の１列の穴に着脱自在に係止可能な係止部と、上面の長手方向の手前側に少なくとも１つの突起部と、該上面の前記壁面側近傍にビス止め穴を有し、壁面に対して垂直となる棚板支持体と、前記壁面側に設けられるとともに前記棚板と前記棚板支持体を固定するビス止め用の穴と、手前側に設けられるとともに前記棚板支持体の前記突起部よりも大きく設けられている穴とを下面に有する棚板からなること特徴とする壁面収納治具であり、収納棚の高さを自由に調整することができ、柱材に脚部を有さず壁面に設ける収納棚を作成することができる優れたものであった。
【０００３】
【特許文献１】特許第３６０５７６８号公報
【発明の開示】
【発明が解決しようとする課題】
【０００４】
しかしながら、特許文献１に記載されている断面略レ字状のレールは、壁面に沿って固定される垂直部に対して所定角度の傾斜部を該レール自体に加工する必要があることから、該レールの作成に多くの工数を要した。
前記柱材にはレールの傾斜部と同程度の幅の狭い切込部しかなく、しかも、該切込部の向きは、上向きであるため、該柱材を該断面略レ字状のレールに嵌入するのが困難であった。
該レールは平面であるために、柱材を支える上で該レールの強度が弱く、前記収納棚の安定性に欠ける部分があった。
前記収納棚に衣服掛け吊下げ用パイプを設ける場合、パイプの左右端を支持するパイプ支持体を柱材の穴に係止する必要がある。しかし、このパイプ支持体は、棚板支持体が係止されている位置より下方の柱材に設けられた穴に係止しなくてはならないため、棚板の下方にパイプを架設すると、棚板とパイプとの間に棚板支持体の高さ分だけ無駄なスペースが生じていた。
収納棚を設置するスペースが限定されており、かつ柱材をレールの最端部に設置することができない場合に、棚板や衣服掛け吊下げ用パイプを設置すると、該左右一対の柱材間の外側にデッドスペースが生じていた。
通常、壁面を構成する壁板の裏側には一定間隔で下地材が設けられており、レールを壁面にビス止めする場合、壁板の裏側に下地材が存在している部分を選んでビス止めを行う必要がある。
しかしながら、特許文献１の収納棚で用いられるレールは、個々のビス止め用穴間の間隔が広いため、ビス止め用穴と下地材が合致しない場合があった。この場合壁板を外して新たに下地材を設ける作業を行っていたため、作業が大掛かりになるとともに長い作業時間を要していた。
【０００５】
本発明は、このような実情に鑑みてなされたものであって、レールの作成に工数がかか
らず、柱材をレールに嵌入することが容易であり、安定性のある壁面収納治具を提供する
ものである。
【０００６】
棚板とパイプとの間の無駄なスペースや柱材をレールの最端部に設置することができない場合に生じる左右一対の柱材間の外側のデッドスペースが生じず、レールのビス止め穴と壁板裏の下地材が合致し易い壁面収納治具を提供するものである。
【課題を解決するための手段】
【０００７】
請求項１に係る発明は、壁面に収納棚を作成するための治具であって、前記壁面に沿って固定され該壁面に対してほぼ直角に突出する部分を含む断面形状を有するレールと、該レールに対して直角下向きに該レール上の左右に所定間隔で該レール上に延設される一対のＣ型チャンネル材からなる柱材と、前記一対の柱材に着脱自在に係止可能で壁面に対して直角に前方へ向かって延設する一対の棚板支持体と、前記棚板支持体の上部に載設される棚板からなり、前記柱材の左右面を形成する側板には前記レールが着脱自在に嵌入される切込部が長手方向上方に設けられているとともに前面を形成する前板には複数の穴が長手方向に沿って所定間隔で設けられ、前記棚板支持体の端部には突出する係止部を有し、該係止部が前記柱材前板の穴に係止されることを特徴とする壁面収納治具に関する。
【０００８】
請求項２に係る発明は、前記レールが断面略ロ字状の部材であり、該レールの上下面を形成する側板が前記柱材の切込部の上下部に当接するように嵌入され、該レールの後面を形成する後板が前記柱材の切込部の奥部に当接するように嵌入されることを特徴とする請求項１に記載の壁面収納治具に関する。
【０００９】
請求項３に係る発明は、前記レールが、Ｃ型チャンネル材であり、該レールの上下面を形成する側板が前記柱材の切込部の上下部にそれぞれ当接するように嵌入されることを特徴とする請求項１に記載の壁面収納治具に関する。
【００１０】
請求項４に係る発明は、前記レールが、Ｃ型チャンネル材であり、該レールの上下面を形成する側板が前記柱材の切込部の上下部に当接するように嵌入され、該レールの前面を形成する前板が前記柱材の切込部の奥部に当接するように嵌入されることを特徴とする請求項１に記載の壁面収納治具に関する。
【００１１】
請求項５に係る発明は、前記レールが、Ｃ型チャンネル材であり該Ｃ型チャンネル材の上面を形成する側板と直角になるようにかつ該Ｃ型チャンネル材の後面を形成する後板と逆方向に折曲された平板を有する部材であり、該レールの側板が前記柱材の切込部の上下部に当接するように嵌入され、該レールの後板が前記柱材の切込部の奥部にそれぞれ当接するように嵌入されることを特徴とする請求項１に記載の壁面収納治具に関する。
【００１２】
請求項６に係る発明は、前記レールがＬ型材であり、該レールの側板と前板が前記柱材の切込部にそれぞれ当接するように嵌入されることを特徴とする請求項１に記載の壁面収納治具に関する。
【００１３】
請求項７に係る発明は、前記レールが折り返し付Ｌ型材であり、該レールの側板、前板および後板が、前記柱材の切込部にそれぞれ当接するように嵌入されることを特徴とする請求項１に記載の壁面収納治具に関する。
【００１４】
請求項８に係る発明は、前記一対の棚板支持体にそれぞれ取り付けられる左右一対のパイプ支持体と、前記棚板の下方において該左右一対のパイプ支持体間に架設されるパイプとからなる衣服掛け吊下げ用部材を有することを特徴とする請求項１乃至７いずれかに記載の壁面収納治具に関する。
【００１５】
請求項９に係る発明は、前記棚板支持体の左右面を形成する側面に前記パイプ端部を支持するための穴が長手方向に所定間隔で設けられていることを特徴とする請求項１乃至７いずれかに記載の壁面収納治具に関する。
【００１６】
請求項１０に係る発明は、前記棚板支持体の側面に前記パイプ支持体を付設するための穴が長手方向に所定間隔で設けられていることを特徴とする請求項１乃至７いずれかに記載の壁面収納治具に関する。
【００１７】
請求項１１に係る発明は、前記一対の柱材間の外側でかつ前記棚板の左右の端面に固定され、該棚板の上面と同一平面を形成する追加棚板を有することを特徴とする請求項１乃至７いずれかに記載の壁面収納治具に関する。
【００１８】
請求項１２に係る発明は、前記一対の柱材間の外側でかつ前記棚板支持体側面の前記パイプ端部を支持するための穴に固定され、該パイプと同一直線を形成する追加パイプを有することを特徴とする請求項１乃至７いずれかに記載の壁面収納治具に関する。
【００１９】
請求項１３に係る発明は、前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具に関する。
【発明の効果】
【００２０】
請求項１記載の発明は、断面略レ字状のレールのような特別な傾斜の折り曲げ加工をレールに施す必要が無くなることから、レール作成の工数を削減できる壁面収納治具を提供することが可能となる。
レールは壁面に沿って固定され該壁面に対してほぼ直角に突出する部分を含む断面形状を有していることから、柱材をレールに容易に嵌入することが可能になる。
【００２１】
請求項２乃至５の記載の発明は、レールが立体構造であるため、柱材を支える上で該レールの強度が向上し、安定性のある壁面収納治具を提供することが可能となる。
柱材の切込部が、広い幅で水平方向に切り込まれているため、柱材の切込部を容易にレールの突出部に嵌入することが可能となる。
【００２２】
請求項６記載の発明は、断面略L字状のレールの側板が壁面に対してほぼ直角に突出していることから、該柱材の長手方向を地面に対して直角にし、該柱材の切込部を前記壁面に対して平行に向けた状態で、該柱材を嵌入できるため、断面略レ字状のレールに柱材を嵌入する場合に比べ容易に嵌入できる壁面収納治具を提供することが可能となる。
【００２３】
請求項７記載の発明は、断面略レ字状のレールに比べ、該レールと前記柱材の切込部の引掛かり部分が多くなるため、該レールのからの該柱材の抜け落ちが防止できる収納棚を作成するための壁面収納治具を提供することが可能となる。
【００２４】
請求項８記載の発明は、柱材に設けられた穴を利用せずに、棚板支持体に対して直接パイプ支持体を係止することができるので、棚板の下方近傍に該パイプを架設することが可能となり、棚板とパイプとの間に無駄なスペースが生じない壁面収納治具を提供することが可能となる。
【００２５】
請求項９記載の発明は、パイプを直接棚板支持体に嵌入することから、パイプ支持体を必要とせずに棚板下方近傍に該パイプを架設することが可能となり、棚板とパイプとの間に無駄なスペースが生じない壁面収納治具を提供することが可能となる。
【００２６】
請求項１０記載の発明は、パイプ支持体を柱材に係止するのではなく、直接棚板支持体の穴に係止することから、該棚板と該パイプとの間にパイプ支持体を柱材の穴に係止固定させる場合と比べて、スペースの生じない複数の該左右一対のパイプ支持体間に架設されるパイプとからなる衣服掛け吊下げ用部材を有する壁面収納治具を提供することが可能となる。
【００２７】
請求項１１記載の発明は、該棚板の上面と同一平面を形成する追加棚板を前記左右一対の柱材間の外側でかつ前記棚板の両側端面に固定することにより、前記収納棚を設置する際に生じる前記左右一対の柱材間の外側のデッドスペースを棚板の付設スペースとして有効活用可能な壁面収納治具を提供することが可能となる。
【００２８】
請求項１２記載の発明は、該パイプと同一直線を形成する追加パイプを前記左右一対の柱材間の外側でかつ前記棚板支持体側面の前記パイプ端部を支持するための穴に固定されることから、前記収納棚を設置する際に生じる前記左右一対の柱材間の外側のデッドスペースを複数の該衣服掛け吊下げ用部材の架設スペースとして有効活用可能な壁面収納治具を提供することが可能となる。
【００２９】
請求項１３記載の発明は、前記レールに前記壁面に固定するためのビス止め用の複数の穴が１８０〜２２０ｍｍの間隔で長手方向に設けられていることから、レールの設置場所の融通性が高くなり、壁板裏側の下地材追加工事が不要な壁面収納治具を提供することが可能となる。
【発明を実施するための最良の形態】
【００３０】
以下、本発明における構成を図面を参照しつつ説明する。
図１は、本発明に係る壁面収納棚の一実施例の斜視図を示す。
【００３１】
本発明に係る壁面収納治具（1）は、壁面（70）に収納棚および衣類掛けを作成するための治具であって、レール（10）、柱材（20）、棚板支持体（30）、棚板（40）、パイプ支持体（50）、および衣類掛け吊下げ用パイプ（60）とから構成される。
【００３２】
図３乃至図８は、レール（10）と柱材（20）の好適な実施例を示す図であり、（ａ）はレール（10）と柱材（20）を組合わせた状態の斜視図、（ｂ）はその縦断面図、（ｃ）はレール（10）の斜視図、（ｄ）は柱材（20）の斜視図である。
以下図３乃至図８の実施例を実施例１乃至実施例６と称す。
【００３３】
本発明において用いられるレール（10）の全ての実施例に共通する構成について説明する。
レール（10）は、図２で示す如く、壁面（70）に沿って水平となるように取り付けられる部材である。
レール（10）は、その長手方向に沿って所定間隔で複数の穴（11）が設けられており、該壁面（70）に対してほぼ直角に突出する部分を含む断面形状を有する。
このレール（10）の長さは、特に限定されず、利用者が所望する壁面（70）に対応した長さである。
【００３４】
穴（11）はレール（10）を壁面（70）に固定するためのビス挿通用の穴である。隣り合う穴（11）の間隔は、１８０〜２２０ｍｍの範囲が好ましい。
穴の間隔が１８０ｍｍ未満であると、レール（10）に空ける穴の数が多くなりレール強度が低下し好ましくないからである。
穴の間隔が２２０ｍｍを超えると、壁面（70）の壁板裏面に設けられている下地材の位置と穴の位置との合致が難しくなり、新たに下地材を追加する工事が必要となる可能性が高くなり好ましくないからである。
【００３５】
本発明において用いられる柱材（20）の全ての実施例に共通する構成について説明する。
柱材（20）は、図２に示す如く、レール（10）に対して直角方向に取り付けられ、壁面（70）に沿って垂直に固定される部材である。
柱材（20）は、図３乃至図８に示す如く、Ｃ型チャンネル材であり、詳しくは２つの側板（21）とこれら側板（21）とを繋ぐ前板（22）とからなる断面略Ｃ字状の部材から構成されている。柱材（20）の２つの側板（21）の長手方向上方には、レール（10）が嵌入される切込部（23）が設けられている。柱材の前板（22）には、棚板支持体（30）が係止される穴（24）が長手方向に沿って所定間隔で列設されている。
【００３６】
各実施例のレール（10）および柱材（20）の構成について個別に説明する。
図３に示すレール（10Ａ）（第一実施例）は、断面略ロ字状の部材であり、詳しくは壁面（70）に沿って固定される長方形状の前板（12）と、該前板（12）の長辺からそれぞれ直角に折曲された互いに平行な２つの側板（13）（15）と、該２つの側板（13）（15）を繋ぐとともに前板（12）と同形状で平行に設けられた後板（14）とから構成されている。
【００３７】
前板（12）および後板（14）には、上記ビス止め用の穴（11）が複数個設けられており、前板（12）および後板（14）に設けられた穴（11）は互いに重なる位置に設けられている。
第一実施例のレール（10Ａ）は、前板（12）が壁面（70）に接し、側板（13）（15）面が壁面に対して垂直で地面に対して平行になるように取り付けられる。
【００３８】
第一実施例のレール（10Ａ）の側板（13）（15）幅（壁面からの突出長さ）は、特に限定はされていないが、後述する柱材（20Ａ）の側板（21）幅（壁面からの突出長さ）の
５５〜６５％の範囲に設定することが好ましい。５５％未満であると、レール（10Ａ）に対する柱材（20Ａ）の係止が不十分となって施工の際に柱材（20Ａ）が簡単に落下してしまう恐れがあり、６５％を超えると、前記柱材（20Ａ）の切込部（23Ａ）が大きくなり、柱材（20Ａ）の強度が低下してしまい、いずれの場合も好ましくないからである。
【００３９】
前板（12）および後板（14）の幅についても、特に限定されないが、側板（13）（15）の幅の１．５〜２．５倍の範囲に設定することが好ましい。１．５倍未満であると、レール（10Ａ）に対する柱材（20Ａ）の係止が不十分となって施工の際に柱材（20Ａ）が簡単に落下してしまう恐れがあり、２．５倍を超えると、前板（12）および後板（14）の幅の分だけ柱材（20Ａ）の切込部（23Ａ）を大きくする必要があり、必要以上に柱材（20Ａ）を切り込み、柱材（20Ａ）の強度を低下させてしまい、いずれの場合も好ましくないからである。
【００４０】
第一実施例の柱材（20Ａ）は、図３（ｄ）に示す如く、Ｃ型チャンネル材であり、詳しくは長方形状の前板（22）と該前板（22）の長辺からそれぞれ直角に折曲された互いに平行な２つの側板（21）で構成された断面略Ｃ字状の部材である。
該柱材（20A）は、前記側板（21）の長手方向上部に前記レール（10Ａ）が嵌入される切込部（23Ａ）を有する。
該柱材（20A）には、棚板支持体（30）が係止される複数の穴（24）が長手方向に沿って所定間隔で列設されている。
該柱材（20A）は、壁面（70）に対するビス止め用の穴（25）を有する。
【００４１】
前記切込部（23A）の形状は、図３（ｄ）に示す如く、上下に平行な二辺とその二辺を繋ぐ一長辺からなり、これら三辺の長さは、前記レール（10A）に柱材（20A）が脱着自在に嵌入できるように、前記レール（10A）の平行な２つの側板（13）（15）および該二つの側板（13）（15）を繋ぐ後板（14）の長さと同一、または少し大きくなっている。
【００４２】
第一実施例の柱材（20A）は、図３（ａ）（ｂ）に示すように、第一実施例のレール（10A）に対して取り付けられる。
第一実施例の柱材（20A）は、レール（10A）の２つの側板（13）（15）が該柱材（20A）の切込部（23A）の上下部に当接するように取り付けられ、これら２つの側板（13）（15）を繋ぐ後板（14）が、該柱材（20A）の切込部（23A）の奥部に当接するように取り付けられる。
【００４３】
図４に示すレール（10B）（第二実施例）は、Ｃ型チャンネル材であり、詳しくは壁面（70）に沿って固定される長方形状の前板（12）と該前板（12）の長辺からそれぞれ直角方向に折曲された互いに平行な２つの側板（13）（15）とから構成されており、全体として断面略Ｃ字状となっている。前板（12）には、上記ビス止め用の穴（11）が複数個設けられている。
第二実施例のレール（10B）は、前板（12）が壁面（70）に接し、側板（13）（15）面が壁面（70）に対して直角で地面に対して平行になるように取り付けられる。
【００４４】
第二実施例のレール（10B）の側板（13）（15）の幅（壁面からの突出長さ）および前板（12）の幅は、上記第一実施例のレール（10Ａ）と同様の範囲に設定することが望ましい。
【００４５】
第二実施例の柱材（20Ｂ）は、図４（ｄ）に示す如く、第一実施例の柱材（20Ａ）と同様の部材であり、側板（21）の長手方向上部に前記レール（10B）が嵌入される切込部（23B）を有する。
【００４６】
前記切込部（23B）の形状は、図４（ｄ）に示す如く、上下に平行な二辺とその二辺を繋ぐ一長辺からなり、これら三辺の長さは、前記レール（10B）に柱材（20B）が脱着自在に嵌入できるように、前記レール（10B）の平行な２つの側板（13）（15）および該二つの側板（13）（15）を繋ぐ後板（14）の長さと同一、または少し大きくなっている。
【００４７】
第二実施例の柱材（20Ｂ）は、図４（ａ）（ｂ）に示すように、第二実施例のレール（10Ｂ）に対して取り付けられる。
第二実施例の柱材（20Ｂ）は、レール（10Ｂ）の２つの側板（13）（15）が、該柱材（20Ｂ）の切込部（23Ｂ）の上下部にそれぞれ当接するように取り付けられる。
【００４８】
図５に示すレール（10C）（第三実施例）は、図５（ｃ）に示す如く、第二実施例のレール（10B）と同様のレールである。
第三実施例のレール（10C）は、前板（12）が壁面（70）に対して平行で、側板（13）（15）面が壁面（70）に対し直角で地面に対して平行になるように取り付けられる。
【００４９】
第三実施例のレール（10C）の側板（13）（15）の幅（壁面からの突出長さ）および前板（12）の幅は、上記第一実施例のレール（10A）と同様の範囲に設定することが好ましい。
【００５０】
第三実施例の柱材（20C）は、図５（ｄ）に示す如く、第一実施例の柱材（20Ａ）と同様の部材であり、側板（21）の長手方向上部に前記レール（10C）が嵌入される切込部（23C）を有する。
【００５１】
前記切込部（23C）の形状は、図５（ｄ）に示す如く、上下に平行な二辺とその二辺を繋ぐ一長辺からなり、これら三辺の長さは、前記レール（10C）に柱材（20C）が脱着自在に嵌入できるように、前記レール（10C）の平行な２つの側板（13）（15）および該２つの側板（21）を繋ぐ前板（1２）の長さと同一、または少し大きくなっている
【００５２】
第三実施例の柱材（20C）は、図５（ａ）（ｂ）に示すように、第三実施例のレール（10C）に対して取り付けられる。
第三実施例の柱材（20C）は、レール（10C）の２つの側板（13）（15）が該柱材（20C）の切込部（23C）の上下部に当接するように取り付けられ、これら２つの側板（13）（15）を繋ぐ前板（12）が、該柱材（20C）の切込部（23C）の奥部に当接するように取り付けられる。
【００５３】
図６に示すレール（10D）（第四実施例）は、壁面（70）に沿って固定される長方形状の前板（12）と、該前板（12）の一辺から直角方向に折曲された側板（13）と、該側板（13）の一辺から直角方向に折曲された後板（14）と、該後板（14）の一辺から直角方向に折曲され、該前板（12）の一辺から直角方向に折曲された側板（13）に対して平行に設けられた側板（15）から構成されている。
前板（12）には、上記ビス止め用の穴（11）が複数個設けられている。
第四実施例のレール（10D）は、前板（12）が側板（13）（15）および後板（14）より上側にあり、かつ側板（13）（15）面が壁面（70）に対して垂直で、かつ地面に対しても平行になるように取り付けられる。
【００５４】
第四実施例のレール（10D）の側板（13）（15）の幅（壁面からの突出長さ）は、第一実施例のレール（10A）で述べたように、後述する柱材（20D）の側板（21）幅（壁面からの突出長さ）の５５〜６５％の範囲に設定することが好ましい。
【００５５】
前板（12）および後板（14）の幅は、側板（13）（15）の幅とほぼ同一に設定することが好ましい。
【００５６】
第四実施例の柱材（20D）は、図６（ｄ）に示す如く、第一実施例の柱材（20A）と同様の部材であり、側板（21）の長手方向上部に前記レール（10D）が嵌入される切込部（23D）を有する。
【００５７】
前記切込部（23D）の形状は、図６（ｄ）に示す如く、上下に平行な二辺と、その二辺を繋ぐ一辺と、上下に平行な二辺のうちの上辺の一端から上方向に延びる一辺とからなる。  
上下に平行な二辺のうちの上辺は、前記前板（12）の厚さ分だけ、上下に平行な二辺のうちの下辺より短くなっている。それぞれの辺の長さは、前記レール（10D）に柱材（20D）が脱着自在に嵌入できるように、前記レール（10D）の側板（13）（15）、前板（12）、後板（14）の長さと同一、または少し大きくなっている。  
【００５８】
第四実施例の柱材（20D）は、図６（ａ）（ｂ）に示すように、第四実施例のレール（10D）に対して取り付けられる。
第四実施例の柱材（20D）は、レール（10D）の２つの側板（13）（15）が該柱材（20D）の切込部（23D）の上下部に、そしてこれら２つの側板（13）（15）を繋ぐ後板（14）が該柱材（20D）の切込部（23D）の奥部にそれぞれ当接するように取り付けられる。
【００５９】
図７に示すレール（10E）（第五実施例）は、Ｌ型材であり、詳しくは壁面（70）に沿って固定される長方形状の前板（12）と該前板（12）の長辺から直角方向に折曲された側板（13）とから構成されており、全体として断面略Ｌ字状となっている。
前板（12）には、上記ビス止め用の穴（11）が複数個設けられている。
第五実施例のレール（10E）は、前板（12）が側板（13）の上側にあり、かつ側板（13）面が壁面（70）に対して直角で地面に対して平行になるように取り付けられる。
【００６０】
第五実施例のレール（10E）の側板（13）の幅（壁面からの突出長さ）は、上記第一実施例のレール（10A）と同様の範囲に設定することが好ましい。
【００６１】
前板（12）の幅について、特に限定されないが、側板（13）の幅の１．５〜２．５倍の範囲に設定することが好ましい。１．５倍未満であると、レール（10Ａ）に対する柱材（20E）の係止が不十分となって施工の際に柱材（20E）が簡単に落下してしまう恐れがあり、２．５倍を超えると、前板（12）の幅の分だけ柱材（20E）の切込部（23E）を大きくする必要があり、必要以上に柱材（20E）を切り込み、柱材（20E）の強度を低下させてしまい、いずれの場合も好ましくないからである。
【００６２】
第五実施例の柱材（20E）は、図７（ｄ）に示す如く、第一実施例の柱材（20A）と同様の部材であり、側板（21）の長手方向上部に前記レール（10E）が嵌入される切込部（23E）を有する。
【００６３】
前記切込部（23E）の形状は、柱材（20E）の長手方向に延びる一長辺とその長辺の末端から直角方向に延びる一辺からなる略L字状であって、これら二辺の長さは、前記レール（10E）に柱材（20E）が脱着自在に嵌入できるように、前記レール（10E）の側板（13）、前板（12）の長さと同一、または少し大きくなっている。  
【００６４】
第五実施例の柱材（20E）は、図７（ａ）（ｂ）に示すように、第五実施例のレール（10E）に対して取り付けられる。
第五実施例の柱材（20E）は、前記レール（10E）の側板（13）が該柱材（20E）の切込部（23E）に当接するように取り付けられる。
【００６５】
図８に示すレール（10F）（第六実施例）は、折り返し付Ｌ型材であり、詳しくは壁面（70）に沿って固定される長方形状の前板（12）と該前板（12）の長辺から直角方向に折曲された側板（13）と該側板（13）の一辺から直角方向に折曲され、該前板（12）と平行に設けられた後板（14）とから構成されている。
前板（12）には、上記ビス止め用の穴（11）が複数個設けられている。
第六実施例のレール（10F）は、前板（12）が側板（13）の上側にあり、かつ側板（13）面が壁面（70）に対して直角で地面に対して平行になるように取り付けられる。
【００６６】
第六実施例のレール（10F）の側板（13）の幅（壁面からの突出長さ）の幅は、第一実施例のレール（10A）と同様の範囲に設定することが好ましい。
【００６７】
前板（12）の幅について、特に限定されないが、側板（13）の幅の１．５〜２．５倍の範囲に設定することが好ましい。１．５倍未満であると、レール（10F）に対する柱材（20F）の係止が不十分となって施工の際に柱材（20F）が簡単に落下してしまう恐れがあり、２．５倍を超えると、前板（12）の幅の分だけ柱材（20F）の切込部（23F）を大きくする必要があり、必要以上に柱材（20F）を切り込み、柱材（20F）の強度を低下させてしまい、いずれの場合も好ましくないからである。
【００６８】
後板（14）の幅は、前板（12）の幅より短くなるように前板（12）の幅の０．４５〜０．５５倍の範囲に設定することが望ましい。０．４５倍未満であると、レール（10F）に対する柱材（20F）の係止が不十分となって施工の際に柱材（20F）が簡単に落下してしまう恐れがあり、０．５５倍を超えると、柱材（20F）の切込部（23F）が大きくなり、柱材（20F）の強度が低下してしまい、いずれの場合も好ましくないからである。
【００６９】
第六実施例の柱材（20F）は、図８（ｄ）に示す如く、第一実施例の柱材（20A）と同様の部材であり、側板（21）の長手方向上部に前記レール（10F）が嵌入される切込部（23F）を有する。
【００７０】
前記切込部（23F）の形状は、柱材（20F）の長手方向の延びる一長辺と、その長辺の末端から直角方向に延びる一短辺と、その短辺の末端から直角方向に延び前記一長辺と平行となる一短辺からなり、これら三辺の長さは、前記レール（10F）に柱材（20F）が脱着自在に嵌入できるように、前記レール（10F）の側板（13）、前板（12）、後板（14）の長さと同一、または少し大きくなっている。  
【００７１】
第六実施例の柱材（20F）は、図８（ａ）（ｂ）に示すように、第六実施例のレール（10F）に対して取り付けられる。
第六実施例の柱材（20F）は、レール（10F）の側板（13）およびこの側板（13）の一辺から直角方向に折曲した後板（14）が、該柱材（20F）の切込部（23F）に接するように取り付けられる。
【００７２】
図９乃至図１４は、棚板支持体（30）、棚板（40）、パイプ支持体（50）、衣類掛け吊下げ用パイプ（60）の好適な実施例を示す図であり、図９乃至１２の（ａ）は棚板支持体（30）、棚板（40）、パイプ支持体（50）の取り付け方法の斜視図、（ｂ）は棚板支持体（30）とパイプ支持体（50）の取り付け時の縦断面図、（ｃ）は棚板支持体（30）、棚板（40）、パイプ支持体（50）、衣類掛け吊下げ用パイプ（60）の取り付け時の斜視図である。  
図１３の（ａ）は棚板支持体（30E）の斜視図、（ｂ）は棚板支持体（30E）と衣類掛け吊下げ用パイプ（60）の取り付け時の斜視図である。
図１４の（ａ）はパイプ支持体（50）の棚板支持体（30Ｆ）への取り付け方法の斜視図、（ｂ）は棚板支持体（30Ｆ）、棚板（40）、パイプ支持体（50）衣類掛け吊下げ用パイプ（60）の取り付け時の斜視図である。
以下、図９乃至図１４の実施例を実施例１乃至実施例６と称す。
【００７３】
本発明において用いられる棚板支持体（30）の全ての実施例に共通する構成について説明する。
棚板支持体（30A）（30B）（30C）（30D）（30E）（30F）は、図９乃至図１４で示す如く、一端に柱材（20）の穴（24）に着脱自在に係止可能な係止部（31）を有し、穴（24）に係止させた際には壁面（70）に対して垂直になるように設けられる部材である。
係止部（31）の形状は、特に限定されないが、図９乃至図１４で示す如く、下向きＬ字状が好ましい。
係止部（31）は、柱材（20）の前板（22）に設けられる穴（24）に係止される部分であり、棚板支持体（30）の一端に設けられる。
係止部（31）の数は、特に限定されないが、２〜３個（図９乃至図１２では２個、図１３及び図１４では３個の係止部）を設けることが好ましい。係止部（31）が１個だけであると、棚板支持体（30）を十分安定に保つことができず、係止部（31）が４個以上になると係止する際に面倒になるからである。
【００７４】
各実施例の棚板支持体（30）の構成について個別に説明する。
第一実施例及び第二実施例の棚板支持体（30A）（30B）は、図９及び図１０で示す如く、側板（32）と該側板（32）の長辺から直角方向に折曲された上板（33）を有する。
上記上板（33）は、図９及び図１０で示す如く、棚板（40）を固定するためのビス止め穴（34）を有する。
上記上板（33）は、パイプ支持体（50A）（50B）を棚板支持体（30A）に固定するための穴（3５）を有する。
上記穴（3５）は、一箇所に限られず固定するパイプ支持体（50）の数に応じて数箇所に設けても構わない。
穴（35）の形状は、図示例では側板との境界線に沿って設けられた長穴とされているが、特に限定されるものではなく、パイプ支持体（50）の形状に応じた形状で構わない。
なお、棚板（40）の固定方法はビス止めに限定されないため、必ずしもビス止め穴（34）を設ける必要はなく、例えば突起を設けて、棚板下面に設けた穴に該突起を嵌入させて棚板を固定させてもよい。
【００７５】
第三実施例及び第四実施例の棚板支持体（30C）（30D）は、上記第一及び第二実施例の棚板支持体において、穴を有さない構造としたものである。
【００７６】
第五実施例の棚板支持体（30E）は、図１３（ａ）で示す如く、平板であって側面に衣類掛け吊下げ用パイプ（60）を棚板支持体（30E）に直接固定するための円形穴（36）を長手方向に所定間隔で複数個有する。
【００７７】
第六実施例の棚板支持体（30F）は、図１４（ａ）で示す如く、側面にパイプ支持体（50）を棚板支持体（30F）に固定するための長穴（3７）を長手方向に所定間隔で複数個有する。
【００７８】
本発明において用いられるパイプ支持体（50）の全ての実施例に共通する構成について説明する。
パイプ支持体（50）は、上部に棚板支持体（30）の穴（35）に引掛けられる引掛部（51）を有し、下部に衣類掛け吊下げ用パイプ（60）を固定する固定部（52）を有する。引掛部（51）と固定部（52）は、一枚の板材を折り曲げ加工することにより形成されている。
固定部（52）は、衣類掛け吊下げ用パイプ（60）の端部をビス止め等で固定するための穴（53）を有する。
【００７９】
各実施例のパイプ支持体（50）の構成について個別に説明する。
第一実施例のパイプ支持体（50A）は、図９（ａ）（ｂ）に示す如く、上部に引掛部（51A）、下部に固定部（52A）を有する。
引掛部（51A）は、互いに平行に形成された前板部（54）及び後板部（55）とこれら両板部を繋ぐ上板部（56）からなり、後板部（55）の端部は下部の固定部（52A）と繋がっている。
引掛部（51A）は、図９（b）に示す如く、前板部（54）を棚板支持体（30A）の穴（35）に差し込むことにより、棚板支持体（30A）の側板（32）を前板部（54）と後板部（55）で挟み込み、棚板支持体（30A）に係止固定される。
【００８０】
第二実施例のパイプ支持体（50Ｂ）は、図１０（ａ）（ｂ）に示す如く、第一実施例のパイプ支持体（50A）と同様の部材であるが、棚板支持体（30B）への係止固定方法が異なる。
引掛部（51B）は、図１０（b）に示す如く、後板部（55）を棚板支持体（30B）の穴（35）に差し込むことにより、棚板支持体（30B）の側板（32）を前板部（54）と後板部（55）で挟み込み、棚板支持体（30B）に係止固定される。
【００８１】
第三実施例のパイプ支持体（50C）は図１１（ａ）（ｂ）に示す如く、上部に引掛部（51Ｃ）、下部に固定部（52Ｃ）を有する。
引掛部（51Ｃ）は、棚板支持体（30C）の上板（33）の上面に接する上板部（57）と棚板支持体（30C）の上板（33）の下面に接する下板部（58）を有する。上板部（57）と下板部（58）は、棚板支持体（30C）の上板（33）の厚さより少し広い程度の隙間を有して互いに平行に横方向に延びている。
上板部（57）の両端は直角方向に折曲されており、一方の端は下板部（58）と繋がっている。
下板部（58）の一端は直角方向に折曲されており、下部の固定部（52C）とを繋ぐ前板（59）と繋がっている。
引掛部（51C）は、図１１（ｂ）に示す如く、上板部（57）と下板部（58）の隙間に棚板支持体（30C）の上板（33）を挟み込むことにより、棚板支持体（30C）の内側に係止固定される。
【００８２】
第四実施例のパイプ支持体（50D）は図１２（ａ）（ｂ）に示す如く、上部に引掛部（51D）、下部に固定部（52D）を有する。
引掛部（51D）は、棚板支持体（30D）の上板（33）の上面に接する上板部（57）と棚板支持体（30C）の上板（33）の下面に接する下板部（58）を有する。上板部（57）と下板部（58）は、棚板支持体（30D）の上板（33）の厚さより少し広い程度の隙間を有して互いに平行に横方向に延びている。
上板部（57）の両端は直角方向に折曲されており、一方の端は下板部（58）と繋がり、他方の端は、下部の固定部（52C）とを繋ぐ前板（59）と繋がっている。
引掛部（51D）は、図１２（ｂ）に示す如く、上板部（57）と下板部（58）の隙間に棚板支持体（30C）の上板（33）を挟み込むことにより、棚板支持体（30C）の外側に係止固定される。
【００８３】
衣服掛け吊下げ用パイプ（60）について説明する。
衣服掛け吊下げ用パイプ（60）は、図９乃至図１４で示す如く、棒状の部材で構成されている。
衣服掛け吊下げ用パイプ（60）の断面形状は円形に限定されず、衣服掛けを吊下げた際に落下しない形状であれば構わない。
衣服掛け吊下げ用パイプ（60）の長さは、左右一対の柱材（20）に係止された棚板支持体（30）の間隔に対応した長さである。
【００８４】
本発明に係る壁面収納治具は、上述したように、壁面（70）に収納棚および衣服掛けを作成するための治具であって、レール（10）、柱材（20）、棚板支持体（30）、棚板（40）、パイプ支持体（50）、および衣類掛け吊下げ用パイプ（60）からなる構成を基本構造とするものであるが、この基本構造に加えて、図１５に示す如く、追加構成を採用することができる。
図１５（ａ）は、追加構成の一例である追加棚板（40A）を示す図であり、図１５（ｂ）は、追加構成の一例である追加パイプ（60A）を示す図であり、図１５（ｃ）は、これら両追加構成を本発明に同時に適用した状態を示す図である。
追加棚板（40A）は、前記左右一対の柱材（20）間の外側で、かつ前記棚板（40）の両側端面に固定され、該棚板（40）の上面と同一平面を形成する。
追加棚板（40A）にはネジ止め用の穴が設けてあり、図１５（ａ）に示す如く、前記棚板（40）の端面に設けられたネジ止め用の穴とネジ止めされる。
追加棚板（40A）の大きさは、特に限定されず、利用者が所望する柱材（20）間の外側の空きスペースに対応した長さである。
【００８５】
追加パイプ（60A）は、前記左右一対の柱材（20）間の外側で、かつ前記棚板支持体（30）側面の前記衣服掛け吊下げ用パイプ（60）端部を支持するためのネジ穴（33）に固定され、該パイプ（60）と同一直線を形成する。
追加パイプ（60A）の一方の端部は、図１５（ｂ）に示す如く、棚板支持体（30）に固定するためのネジを有している。
追加パイプ（60A）の固定は１本に限られず、棚板支持体（30）側面に固定用の穴（33）を複数設ければ、複数の追加パイプ（60A）を固定することは可能である。
【００８６】
本発明に係る壁面収納治具（1）の壁面（70）への取り付け方法について説明する。
レール（10）を所望する壁面（70）の上方に水平になるように設置する。
所望する間隔で２本以上の柱材（20）をレール（10）と垂直になるように取付け、壁面（70）に固定する。
利用者の所望する高さに合わせて棚板支持体（30）の係止部（31）を柱材（20）の穴（24）と係止させる。棚板支持体（30）は、着脱自在に穴（24）に係止させることができるので、利用者によって適宜高さを変えることが容易にできる。
【００８７】
パイプ支持体（50）を棚板支持体（30）に固定する。
棚板支持体（30）の上板（33）にパイプ支持体（50）に固定するための穴（32）を有する棚板支持体（30A）（30B）については、パイプ支持体（50）を該穴（32）に嵌入して固定する。
棚板支持体（30）の上板（33）にパイプ支持体（50）に固定するための穴（32）を有さない棚板支持体（30C）（30D）については、棚板支持体(30)の上板（33）をパイプ支持体（50）上部の引掛部（51）で挟み込むように固定する。
なお、図１３に示す如く、衣服掛け吊下げ用パイプ（60）を直接棚板支持体(30)の側板（32）に固定する場合は、パイプ支持体（50）は不要である。
パイプ支持体（50）は、架設したい衣服掛け吊下げ用パイプ（60）の数に応じて、棚板支持体（30）に固定する。
【００８８】
衣服掛け吊下げ用パイプ（60）をパイプ支持体（50）に固定する。
図１３に示す如く、棚板支持体(30)の側板（32）に衣服掛け吊下げ用パイプ（60）を固定する穴がある場合は、直接棚板支持体(30)の側板（32）に衣服掛け吊下げ用パイプ（60）を固定する。
なお、衣服掛け吊下げ用パイプ（60）は、棚板支持体（30）に固定したパイプ支持体（50）の数に応じて複数個架設できる。
【００８９】
棚板支持体（30）上部に棚板（40）を設置する。棚板（40）の固定は、ビス止めに限られず、棚板支持体（30）と棚板（40）が完全に固定されれば、特に固定方法は問わない。
なお、追加棚板（40A）および追加パイプ（60A）を設置する場合は上記所定の位置に設置する。
【図面の簡単な説明】
【００９０】
【図１】本発明に係る壁面収納棚の一実施例の斜視図を示す。
【図２】本発明において用いられるレールと柱材の組合わせの一実施例を示す。
【図３】本発明において用いられるレールに柱材が嵌入された際の一実施例を示し、（ａ）はその斜視図、（ｂ）は図（ａ）のＡ−Ａ'端面図、（ｃ）はレールの斜視図、（ｄ）は柱材の斜視図を示す。
【図４】本発明において用いられるレールに柱材が嵌入された際の一実施例を示し、（ａ）はその斜視図、（ｂ）は図（ａ）のＡ−Ａ'端面図、（ｃ）はレールの斜視図、（ｄ）は柱材の斜視図を示す。
【図５】本発明において用いられるレールに柱材が嵌入された際の一実施例を示し、（ａ）はその斜視図、（ｂ）は図（ａ）のＡ−Ａ'端面図、（ｃ）はレールの斜視図、（ｄ）は柱材の斜視図を示す。
【図６】本発明において用いられるレールに柱材が嵌入された際の一実施例を示し、（ａ）はその斜視図、（ｂ）は図（ａ）のＡ−Ａ'端面図、（ｃ）はレールの斜視図、（ｄ）は柱材の斜視図を示す。
【図７】本発明において用いられるレールに柱材が嵌入された際の一実施例を示し、（ａ）はその斜視図、（ｂ）は図（ａ）のＡ−Ａ'端面図、（ｃ）はレールの斜視図、（ｄ）は柱材の斜視図を示す。
【図８】本発明において用いられるレールに柱材が嵌入された際の一実施例を示し、（ａ）はその斜視図、（ｂ）は図（ａ）のＡ−Ａ'端面図、（ｃ）はレールの斜視図、（ｄ）は柱材の斜視図を示す。
【図９】本発明において用いられる棚板支持体、棚板およびパイプ支持体との取り付け方法の一実施例を示し、（ａ）はその斜視図、（ｂ）は棚板支持体にパイプ支持体が固定された際の断面図、（ｃ）は、その実施例の斜視図を示す。
【図１０】本発明において用いられる棚板支持体、棚板およびパイプ支持体との取り付け方法の一実施例を示し、（ａ）はその斜視図、（ｂ）は棚板支持体にパイプ支持体が固定された際の断面図、（ｃ）は、その実施例の斜視図を示す。
【図１１】本発明において用いられる棚板支持体、棚板およびパイプ支持体との取り付け方法の一実施例を示し、（ａ）はその斜視図、（ｂ）は棚板支持体にパイプ支持体が固定された際の断面図、（ｃ）は、その実施例の斜視図を示す。
【図１２】本発明において用いられる棚板支持体、棚板およびパイプ支持体との取り付け方法の一実施形態を示し、（ａ）はその斜視図、（ｂ）は棚板支持体にパイプ支持体が固定された際の断面図、（ｃ）は、その実施例の斜視図を示す。
【図１３】本発明において用いられるパイプ支持体を要さずに複数の衣服掛け吊下げ用パイプを架設できる棚板支持体を示し、（ａ）はその斜視図、（ｂ）はその一実施例の斜視図を示す。
【図１４】本発明に用いられる棚板支持体にパイプ支持体を固定し、複数の衣類かけ吊下げ用パイプを架設できる棚板支持体とパイプ支持体との取り付け方法の一実施例を示し、（ａ）はその斜視図、（ｂ）は取付け時の一実施例の斜視図を示す。
【図１５】追加棚板および追加パイプの取り付け方法の一実施例を示し、（ａ）は追加棚板の取り付け方法の斜視図を示し、（ｂ）は追加パイプの取付け方法の斜視図を示し、（ｃ）は取付け時の一実施例の斜視図を示す。
【符号の説明】
【００９１】
１・・・・・棚板収納治具
１０・・・・レール
１１・・・・レールのビス止め穴
１２・・・・レールの前板
１３・・・・レールの側板
１４・・・・レールの後板
１５・・・・レールの側板
２０・・・・柱材
２１・・・・柱材の側板
２２・・・・柱材の前板
２３・・・・柱材の切込部
２４・・・・柱材の穴
３０・・・・棚板支持体
３１・・・・棚板支持体の係止部
３６・・・・棚板支持体の側板の穴
３７・・・・棚板支持体の側板の穴
４０・・・・棚板
４０Ａ・・・追加棚板
５０・・・・パイプ支持体
６０・・・・衣類掛け吊下げ用パイプ
６０Ａ・・・追加パイプ
７０・・・・壁面
【図１】
2007105273.tif 000003
【図２】
2007105273.tif 000004
【図３】
2007105273.tif 000005
【図４】
2007105273.tif 000006
【図５】
2007105273.tif 000007
【図６】
2007105273.tif 000008
【図７】
2007105273.tif 000009
【図８】
2007105273.tif 000010
【図９】
2007105273.tif 000011
【図１０】
2007105273.tif 000012
【図１１】
2007105273.tif 000013
【図１２】
2007105273.tif 000014
【図１３】
2007105273.tif 000015
【図１４】
2007105273.tif 000016
【図１５】
2007105273.tif 000017
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
壁面に収納棚を作成するための治具であって、
前記壁面に沿って固定され該壁面に対してほぼ直角に突出する部分を含む断面形状を有するレールと、
該レールに対して直角下向きに該レール上の左右に所定間隔で該レール上に延設される一対のＣ型チャンネル材からなる柱材と、
前記一対の柱材に着脱自在に係止可能で壁面に対して直角に前方へ向かって延設する一対の棚板支持体と、
前記棚板支持体に架設されるパイプと、
前記棚板支持体の上部に載設される棚板からなり、
前記柱材の左右面を形成する側板には前記レールが着脱自在に嵌入される切込部が長手方向上方に設けられているとともに前面を形成する前板には複数の穴が長手方向に沿って所定間隔で設けられ、
前記棚板支持体の端部には突出する係止部を有し該係止部が前記柱材前板の穴に係止され、
前記パイプが前記一対の棚板支持体にそれぞれ取り付けられる左右一対のパイプ支持体に架設されるか若しくは前記棚板支持体の左右面を形成する側面に長手方向に所定間隔で設けられたパイプ端部を支持するための穴に架設されることを特徴とする壁面収納治具。
【請求項２】
前記レールが、断面略ロ字状の部材であり、
該レールの上下面を形成する側板が前記柱材の切込部の上下部に当接するように嵌入され、
該レールの後面を形成する後板が前記柱材の切込部の奥部に当接するように嵌入されることを特徴とする請求項１に記載の壁面収納治具。
【請求項３】
前記レールが、Ｃ型チャンネル材であり、該レールの上下面を形成する側板が前記柱材の切込部の上下部にそれぞれ当接するように嵌入されることを特徴とする請求項１に記載の壁面収納治具。
【請求項４】
前記レールが、Ｃ型チャンネル材であり、該レールの上下面を形成する側板が前記柱材の切込部の上下部に当接するように嵌入され、
該レールの前面を形成する前板が前記柱材の切込部の奥部に当接するように嵌入されることを特徴とする請求項１に記載の壁面収納治具。
【請求項５】
前記レールが、Ｃ型チャンネル材の上面を形成する側板と直角になるようにかつ該Ｃ型チャンネル材の後面を形成する後板と逆方向に折曲された前板を有する部材であり、
該レールの側板が前記柱材の切込部の上下部に当接するように嵌入され、
該レールの後板が前記柱材の切込部の奥部にそれぞれ当接するように嵌入されることを特徴とする請求項１に記載の壁面収納治具。
【請求項６】
前記レールが、Ｌ型材であり、該レールの側板と前板が前記柱材の切込部にそれぞれ当接するように嵌入されることを特徴とする請求項１に記載の壁面収納治具。
【請求項７】
前記レールが、折り返し付Ｌ型材であり、該レールの側板、前板、および後板が、前記柱材の切込部にそれぞれ当接するように嵌入されることを特徴とする請求項１に記載の壁面収納治具。
【請求項８】
前記棚板支持体の側面に前記パイプ支持体を付設するための穴が長手方向に所定間隔で設けられていることを特徴とする請求項１乃至７いずれかに記載の壁面収納治具。
【請求項９】
前記一対の柱材間の外側でかつ前記棚板の左右の端面に固定され、該棚板の上面と同一平面を形成する追加棚板を有することを特徴とする請求項１乃至７いずれかに記載の壁面収納治具。
【請求項１０】
前記一対の柱材間の外側でかつ前記棚板支持体側面の前記パイプ端部を支持するための穴に固定され、該パイプと同一直線を形成する追加パイプを有することを特徴とする請求項１乃至７いずれかに記載の壁面収納治具。
【請求項１１】
前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具。
【手続補正２】
【補正対象書類名】明細書
【補正対象項目名】０００７
【補正方法】変更
【補正の内容】
【０００７】
請求項１に係る発明は、壁面に収納棚を作成するための治具であって、前記壁面に沿って固定され該壁面に対してほぼ直角に突出する部分を含む断面形状を有するレールと、該レールに対して直角下向きに該レール上の左右に所定間隔で該レール上に延設される一対のＣ型チャンネル材からなる柱材と、前記一対の柱材に着脱自在に係止可能で壁面に対して直角に前方へ向かって延設する一対の棚板支持体と、前記棚板支持体に架設されるパイプと、前記棚板支持体の上部に載設される棚板からなり、前記柱材の左右面を形成する側板には前記レールが着脱自在に嵌入される切込部が長手方向上方に設けられているとともに前面を形成する前板には複数の穴が長手方向に沿って所定間隔で設けられ、前記棚板支持体の端部には突出する係止部を有し該係止部が前記柱材前板の穴に係止され、前記パイプが前記一対の棚板支持体にそれぞれ取り付けられる左右一対のパイプ支持体に架設されるか若しくは前記棚板支持体の左右面を形成する側面に長手方向に所定間隔で設けられたパイプ端部を支持するための穴に架設されることを特徴とする壁面収納治具に関する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項８に係る発明は、前記棚板支持体の側面に前記パイプ支持体を付設するための穴が長手方向に所定間隔で設けられていることを特徴とする請求項１乃至７いずれかに記載の壁面収納治具に関する。
【手続補正６】
【補正対象書類名】明細書
【補正対象項目名】００１７
【補正方法】変更
【補正の内容】
【００１７】
請求項９に係る発明は、前記一対の柱材間の外側でかつ前記棚板の左右の端面に固定され、該棚板の上面と同一平面を形成する追加棚板を有することを特徴とする請求項１乃至７いずれかに記載の壁面収納治具に関する。
【手続補正７】
【補正対象書類名】明細書
【補正対象項目名】００１８
【補正方法】変更
【補正の内容】
【００１８】
請求項１０に係る発明は、前記一対の柱材間の外側でかつ前記棚板支持体側面の前記パイプ端部を支持するための穴に固定され、該パイプと同一直線を形成する追加パイプを有することを特徴とする請求項１乃至７いずれかに記載の壁面収納治具に関する。
【手続補正８】
【補正対象書類名】明細書
【補正対象項目名】００１９
【補正方法】変更
【補正の内容】
【００１９】
請求項１１に係る発明は、前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具に関する。
【手続補正９】
【補正対象書類名】明細書
【補正対象項目名】００２０
【補正方法】変更
【補正の内容】
【００２０】
請求項１記載の発明は、断面略レ字状のレールのような特別な傾斜の折り曲げ加工をレールに施す必要が無くなることから、レール作成の工数を削減できる壁面収納治具を提供することが可能となる。
レールは壁面に沿って固定され該壁面に対してほぼ直角に突出する部分を含む断面形状を有していることから、柱材をレールに容易に嵌入することが可能になる。
柱材に設けられた穴を利用せずに、棚板支持体に対して直接パイプ支持体を係止することができるので、棚板の下方近傍に該パイプを架設することが可能となり、棚板とパイプとの間に無駄なスペースが生じない壁面収納治具を提供することが可能となる。
パイプを直接棚板支持体に嵌入することから、パイプ支持体を必要とせずに棚板下方近傍に該パイプを架設することが可能となり、棚板とパイプとの間に無駄なスペースが生じない壁面収納治具を提供することが可能となる。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
請求項８記載の発明は、パイプ支持体を柱材に係止するのではなく、直接棚板支持体の穴に係止することから、該棚板と該パイプとの間にパイプ支持体を柱材の穴に係止固定させる場合と比べて、スペースの生じない複数の該左右一対のパイプ支持体間に架設されるパイプとからなる衣服掛け吊下げ用部材を有する壁面収納治具を提供することが可能となる。
【手続補正１３】
【補正対象書類名】明細書
【補正対象項目名】００２７
【補正方法】変更
【補正の内容】
【００２７】
請求項９記載の発明は、該棚板の上面と同一平面を形成する追加棚板を前記左右一対の柱材間の外側でかつ前記棚板の両側端面に固定することにより、前記収納棚を設置する際に生じる前記左右一対の柱材間の外側のデッドスペースを棚板の付設スペースとして有効活用可能な壁面収納治具を提供することが可能となる。
【手続補正１４】
【補正対象書類名】明細書
【補正対象項目名】００２８
【補正方法】変更
【補正の内容】
【００２８】
請求項１０記載の発明は、該パイプと同一直線を形成する追加パイプを前記左右一対の柱材間の外側でかつ前記棚板支持体側面の前記パイプ端部を支持するための穴に固定されることから、前記収納棚を設置する際に生じる前記左右一対の柱材間の外側のデッドスペースを複数の該衣服掛け吊下げ用部材の架設スペースとして有効活用可能な壁面収納治具を提供することが可能となる。
【手続補正１５】
【補正対象書類名】明細書
【補正対象項目名】００２９
【補正方法】変更
【補正の内容】
【００２９】
請求項１１記載の発明は、前記レールに前記壁面に固定するためのビス止め用の複数の穴が１８０〜２２０ｍｍの間隔で長手方向に設けられていることから、レールの設置場所の融通性が高くなり、壁板裏側の下地材追加工事が不要な壁面収納治具を提供することが可能となる。
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
壁面に収納棚を作成するための治具であって、前記壁面に沿って固定され該壁面に対してほぼ直角に突出する部分を含む断面形状を有するレールと、該レールに対して直角下向きに該レール上の左右に所定間隔で該レール上に延設される一対のＣ型チャンネル材からなる柱材と、前記一対の柱材に着脱自在に係止可能で壁面に対して直角に前方へ向かって延設する一対の棚板支持体と、前記棚板支持体に架設されるパイプと、前記棚板支持体の上部に載設される棚板からなり、前記柱材の左右面を形成する側板には前記レールが着脱自在に嵌入される切込部が長手方向上方に設けられているとともに前面を形成する前板には複数の穴が長手方向に沿って所定間隔で設けられ、前記棚板支持体の端部には突出する係止部を有し該係止部が前記柱材前板の穴に係止され、前記パイプが前記一対の棚板支持体にそれぞれ取り付けられる左右一対のパイプ支持体に架設されており、該パイプ支持体は、前記棚板支持体の上板に形成される穴に引掛けられる或いは前記棚板支持体の上板を挟み込む引掛部と、前記パイプを固定する固定部を具備してなり、前記引掛部と前記固定部は一枚の板材を折り曲げ加工することにより形成されていることを特徴とする壁面収納治具。
【請求項２】
前記レールが、断面略ロ字状の部材であり、該レールの上下面を形成する側板が前記柱材の切込部の上下部に当接するように嵌入され、該レールの後面を形成する後板が前記柱材の切込部の奥部に当接するように嵌入されることを特徴とする請求項１に記載の壁面収納治具。
【請求項３】
前記レールが、Ｃ型チャンネル材であり、該レールの上下面を形成する側板が前記柱材の切込部の上下部にそれぞれ当接するように嵌入されることを特徴とする請求項１に記載の壁面収納治具。
【請求項４】
前記レールが、Ｃ型チャンネル材であり、該レールの上下面を形成する側板が前記柱材の切込部の上下部に当接するように嵌入され、該レールの前面を形成する前板が前記柱材の切込部の奥部に当接するように嵌入されることを特徴とする請求項１に記載の壁面収納治具。
【請求項５】
前記レールが、Ｃ型チャンネル材の上面を形成する側板と直角になるようにかつ該Ｃ型チャンネル材の後面を形成する後板と逆方向に折曲された前板を有する部材であり、該レールの側板が前記柱材の切込部の上下部に当接するように嵌入され、該レールの後板が前記柱材の切込部の奥部にそれぞれ当接するように嵌入されることを特徴とする請求項１に記載の壁面収納治具。
【請求項６】
前記レールが、Ｌ型材であり、該レールの側板と前板が前記柱材の切込部にそれぞれ当接するように嵌入されることを特徴とする請求項１に記載の壁面収納治具。
【請求項７】
前記レールが、折り返し付Ｌ型材であり、該レールの側板、前板、および後板が、前記柱材の切込部にそれぞれ当接するように嵌入されることを特徴とする請求項１に記載の壁面収納治具。
【請求項８】
前記一対の柱材間の外側でかつ前記棚板の左右の端面に固定され、該棚板の上面と同一平面を形成する追加棚板を有することを特徴とする請求項１乃至７いずれかに記載の壁面収納治具。
【請求項９】
前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具。
【手続補正２】
【補正対象書類名】明細書
【補正対象項目名】０００７
【補正方法】変更
【補正の内容】
【０００７】
請求項１に係る発明は、壁面に収納棚を作成するための治具であって、前記壁面に沿って固定され該壁面に対してほぼ直角に突出する部分を含む断面形状を有するレールと、該レールに対して直角下向きに該レール上の左右に所定間隔で該レール上に延設される一対のＣ型チャンネル材からなる柱材と、前記一対の柱材に着脱自在に係止可能で壁面に対して直角に前方へ向かって延設する一対の棚板支持体と、前記棚板支持体に架設されるパイプと、前記棚板支持体の上部に載設される棚板からなり、前記柱材の左右面を形成する側板には前記レールが着脱自在に嵌入される切込部が長手方向上方に設けられているとともに前面を形成する前板には複数の穴が長手方向に沿って所定間隔で設けられ、前記棚板支持体の端部には突出する係止部を有し該係止部が前記柱材前板の穴に係止され、前記パイプが前記一対の棚板支持体にそれぞれ取り付けられる左右一対のパイプ支持体に架設されており、該パイプ支持体は、前記棚板支持体の上板に形成される穴に引掛けられる或いは前記棚板支持体の上板を挟み込む引掛部と、前記パイプを固定する固定部を具備してなり、前記引掛部と前記固定部は一枚の板材を折り曲げ加工することにより形成されていることを特徴とする壁面収納治具に関する。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
請求項８に係る発明は、前記一対の柱材間の外側でかつ前記棚板の左右の端面に固定され、該棚板の上面と同一平面を形成する追加棚板を有することを特徴とする請求項１乃至７いずれかに記載の壁面収納治具に関する。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項９に係る発明は、前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具に関する。
【手続補正７】
【補正対象書類名】明細書
【補正対象項目名】００２０
【補正方法】変更
【補正の内容】
【００２０】
請求項１記載の発明は、断面略レ字状のレールのような特別な傾斜の折り曲げ加工をレールに施す必要が無くなることから、レール作成の工数を削減できる壁面収納治具を提供することが可能となる。
レールは壁面に沿って固定され該壁面に対してほぼ直角に突出する部分を含む断面形状を有していることから、柱材をレールに容易に嵌入することが可能になる。
柱材に設けられた穴を利用せずに、棚板支持体に対して直接パイプ支持体を係止することができるので、棚板の下方近傍に該パイプを架設することが可能となり、棚板とパイプとの間に無駄なスペースが生じない壁面収納治具を提供することが可能となる。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
請求項８記載の発明は、該棚板の上面と同一平面を形成する追加棚板を前記左右一対の柱材間の外側でかつ前記棚板の両側端面に固定することにより、前記収納棚を設置する際に生じる前記左右一対の柱材間の外側のデッドスペースを棚板の付設スペースとして有効活用可能な壁面収納治具を提供することが可能となる。
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】変更
【補正の内容】
【００２９】
請求項９記載の発明は、前記レールに前記壁面に固定するためのビス止め用の複数の穴が１８０〜２２０ｍｍの間隔で長手方向に設けられていることから、レールの設置場所の融通性が高くなり、壁板裏側の下地材追加工事が不要な壁面収納治具を提供することが可能となる。
【手続補正１２】
【補正対象書類名】明細書
【補正対象項目名】００７８
【補正方法】変更
【補正の内容】
【００７８】
本発明において用いられるパイプ支持体（50）の全ての実施例に共通する構成について説明する。
パイプ支持体（50）は、上部に棚板支持体（30）の上板に形成される穴（35）に引掛けられる或いは前記棚板支持体の上板を挟み込む引掛部（51）を有し、下部に衣類掛け吊下げ用パイプ（60）を固定する固定部（52）を有する。引掛部（51）と固定部（52）は、一枚の板材を折り曲げ加工することにより形成されている。
固定部（52）は、衣類掛け吊下げ用パイプ（60）の端部をビス止め等で固定するための穴（53）を有する。
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
壁面に収納棚を作成するための治具であって、前記壁面に沿って固定され該壁面に対してほぼ直角に突出する部分を含む断面形状を有するレールと、該レールに対して直角下向きに該レール上の左右に所定間隔で該レール上に延設される一対のＣ型チャンネル材からなる柱材と、前記一対の柱材に着脱自在に係止可能で壁面に対して直角に前方へ向かって延設する一対の棚板支持体と、前記棚板支持体に架設されるパイプと、前記棚板支持体の上部に載設される棚板からなり、前記柱材の左右面を形成する側板には前記レールが着脱自在に嵌入される切込部が長手方向上方に設けられているとともに前面を形成する前板には複数の穴が長手方向に沿って所定間隔で設けられ、前記棚板支持体の端部には突出する係止部を有し該係止部が前記柱材前板の穴に係止され、前記パイプが前記一対の棚板支持体にそれぞれ取り付けられる左右一対のパイプ支持体に架設されており、該パイプ支持体は、前記棚板支持体の上板に形成される穴に引掛けられる或いは前記棚板支持体の上板を挟み込む引掛部と、前記パイプを固定する固定部を具備してなり、前記引掛部と前記固定部は一枚の板材を折り曲げ加工することにより形成されており、前記一対の柱材間の外側でかつ前記棚板の左右の端面に固定され、該棚板の上面と同一平面を形成する追加棚板を有することを特徴とする壁面収納治具。
【請求項２】
前記レールが、断面略ロ字状の部材であり、該レールの上下面を形成する側板が前記柱材の切込部の上下部に当接するように嵌入され、該レールの後面を形成する後板が前記柱材の切込部の奥部に当接するように嵌入されることを特徴とする請求項１に記載の壁面収納治具。
【請求項３】
前記レールが、Ｃ型チャンネル材であり、該レールの上下面を形成する側板が前記柱材の切込部の上下部にそれぞれ当接するように嵌入されることを特徴とする請求項１に記載の壁面収納治具。
【請求項４】
前記レールが、Ｃ型チャンネル材であり、該レールの上下面を形成する側板が前記柱材の切込部の上下部に当接するように嵌入され、該レールの前面を形成する前板が前記柱材の切込部の奥部に当接するように嵌入されることを特徴とする請求項１に記載の壁面収納治具。
【請求項５】
前記レールが、Ｃ型チャンネル材の上面を形成する側板と直角になるようにかつ該Ｃ型チャンネル材の後面を形成する後板と逆方向に折曲された前板を有する部材であり、該レールの側板が前記柱材の切込部の上下部に当接するように嵌入され、該レールの後板が前記柱材の切込部の奥部にそれぞれ当接するように嵌入されることを特徴とする請求項１に記載の壁面収納治具。
【請求項６】
前記レールが、Ｌ型材であり、該レールの側板と前板が前記柱材の切込部にそれぞれ当接するように嵌入されることを特徴とする請求項１に記載の壁面収納治具。
【請求項７】
前記レールが、折り返し付Ｌ型材であり、該レールの側板、前板、および後板が、前記柱材の切込部にそれぞれ当接するように嵌入されることを特徴とする請求項１に記載の壁面収納治具。
【請求項８】
前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具。
【手続補正２】
【補正対象書類名】明細書
【補正対象項目名】０００７
【補正方法】変更
【補正の内容】
【０００７】
請求項１に係る発明は、壁面に収納棚を作成するための治具であって、前記壁面に沿って固定され該壁面に対してほぼ直角に突出する部分を含む断面形状を有するレールと、該レールに対して直角下向きに該レール上の左右に所定間隔で該レール上に延設される一対のＣ型チャンネル材からなる柱材と、前記一対の柱材に着脱自在に係止可能で壁面に対して直角に前方へ向かって延設する一対の棚板支持体と、前記棚板支持体に架設されるパイプと、前記棚板支持体の上部に載設される棚板からなり、前記柱材の左右面を形成する側板には前記レールが着脱自在に嵌入される切込部が長手方向上方に設けられているとともに前面を形成する前板には複数の穴が長手方向に沿って所定間隔で設けられ、前記棚板支持体の端部には突出する係止部を有し該係止部が前記柱材前板の穴に係止され、前記パイプが前記一対の棚板支持体にそれぞれ取り付けられる左右一対のパイプ支持体に架設されており、該パイプ支持体は、前記棚板支持体の上板に形成される穴に引掛けられる或いは前記棚板支持体の上板を挟み込む引掛部と、前記パイプを固定する固定部を具備してなり、前記引掛部と前記固定部は一枚の板材を折り曲げ加工することにより形成されており、前記一対の柱材間の外側でかつ前記棚板の左右の端面に固定され、該棚板の上面と同一平面を形成する追加棚板を有することを特徴とする壁面収納治具に関する。
【手続補正３】
【補正対象書類名】明細書
【補正対象項目名】００１７
【補正方法】削除
【補正の内容】
【手続補正４】
【補正対象書類名】明細書
【補正対象項目名】００１９
【補正方法】変更
【補正の内容】
【００１９】
請求項８に係る発明は、前記レールが前記壁面に固定するためのビス止め用の複数の穴が所定間隔で長手方向に設けられ、該所定間隔が１８０〜２２０ｍｍの範囲であることを特徴とする請求項１乃至７いずれかに記載の壁面収納治具に関する。
【手続補正５】
【補正対象書類名】明細書
【補正対象項目名】００２０
【補正方法】変更
【補正の内容】
【００２０】
請求項１記載の発明は、断面略レ字状のレールのような特別な傾斜の折り曲げ加工をレールに施す必要が無くなることから、レール作成の工数を削減できる壁面収納治具を提供することが可能となる。
レールは壁面に沿って固定され該壁面に対してほぼ直角に突出する部分を含む断面形状を有していることから、柱材をレールに容易に嵌入することが可能になる。
柱材に設けられた穴を利用せずに、棚板支持体に対して直接パイプ支持体を係止することができるので、棚板の下方近傍に該パイプを架設することが可能となり、棚板とパイプとの間に無駄なスペースが生じない壁面収納治具を提供することが可能となる。
棚板の上面と同一平面を形成する追加棚板を前記左右一対の柱材間の外側でかつ前記棚板の両側端面に固定することにより、前記収納棚を設置する際に生じる前記左右一対の柱材間の外側のデッドスペースを棚板の付設スペースとして有効活用可能な壁面収納治具を提供することが可能となる。
【手続補正６】
【補正対象書類名】明細書
【補正対象項目名】００２７
【補正方法】削除
【補正の内容】
【手続補正７】
【補正対象書類名】明細書
【補正対象項目名】００２９
【補正方法】変更
【補正の内容】
【００２９】
請求項８記載の発明は、前記レールに前記壁面に固定するためのビス止め用の複数の穴が１８０〜２２０ｍｍの間隔で長手方向に設けられていることから、レールの設置場所の融通性が高くなり、壁板裏側の下地材追加工事が不要な壁面収納治具を提供することが可能となる。